(57)【要約】【課題】探索者が、埋没者の位置まで直線的に到達することを支援する探索システム及び探索方法を提供する。【解決手段】探索システム１は、受信機１０と、送信機２０とを備える探索システムであって、送信機は、任意の初期位相で磁気双極子を回転させることで、変動する磁場を生成する磁場生成部２１を有し、受信機は、少なくとも２つの方向に関する磁場の成分を、回転の１又は複数の周期にわたって測定する測定部１０ｇと、磁場の成分に基づいて、送信機の方向を推定する推定部１１と、を有する。【選択図】図１
2019148452.tif 000002
【特許請求の範囲】
【請求項１】
受信機と、送信機とを備える探索システムであって、
前記送信機は、
任意の初期位相で磁気双極子を回転させることで、変動する磁場を生成する磁場生成部を有し、
前記受信機は、
少なくとも２つの方向に関する前記磁場の成分を、前記回転の１又は複数の周期にわたって測定する測定部と、
前記磁場の成分に基づいて、前記送信機の方向を推定する推定部と、を有する、
探索システム。
【請求項２】
前記推定部は、少なくとも２つの方向に関する前記磁場の成分に正弦波の重みを乗算して、前記１又は複数の周期にわたって積分することで、前記送信機の方向を推定する、
請求項１に記載の探索システム。
【請求項３】
前記推定部は、少なくとも２つの方向に関する前記磁場の成分に基づいて、前記受信機と前記送信機との間の方位角を推定する、
請求項１又は２に記載の探索システム。
【請求項４】
前記推定部は、前記磁気双極子の回転の角周波数をωと表し、前記磁場のｘ軸成分をＢxと表し、前記磁場のｙ軸成分をＢyと表し、前記磁場のｚ軸成分をＢzと表し、前記周期をＴと表し、時間をｔと表し、任意の正整数をＮと表すとき、以下の数式１〜４のうちいずれかによって、前記方位角φを推定する、
【数１】
2019148452.tif 000021
【数２】
2019148452.tif 000022
【数３】
2019148452.tif 000023
【数４】
2019148452.tif 000024
請求項３に記載の探索システム。
【請求項５】
前記推定部は、前記磁気双極子の回転の角周波数をωと表し、前記磁場のｘ軸成分をＢxと表し、前記磁場のｙ軸成分をＢyと表し、前記周期をＴと表し、時間をｔと表し、任意の正整数をＮと表すとき、以下の数式５によって、前記方位角φを推定する、
【数５】
2019148452.tif 000025
請求項３に記載の探索システム。
【請求項６】
前記推定部は、前記磁場のｘ軸成分及び前記磁場のｙ軸成分の変動により描かれるリサージュ図形を楕円により近似し、前記楕円の長軸方向又は短軸方向によって、前記方位角を推定する、
請求項３に記載の探索システム。
【請求項７】
前記受信機及び前記送信機の少なくともいずれか一方は、前記リサージュ図形を表示する表示部をさらに有する、
請求項６に記載の探索システム。
【請求項８】
前記推定部は、３つの方向に関する前記磁場の成分に基づいて、前記受信機と前記送信機との間の仰角を推定する、
請求項１から７のいずれか一項に記載の探索システム。
【請求項９】
前記推定部は、前記磁気双極子の回転の角周波数をωと表し、前記磁場のｘ軸成分をＢxと表し、前記磁場のｙ軸成分をＢyと表し、前記磁場のｚ軸成分をＢzと表し、前記周期をＴと表し、時間をｔと表し、任意の正整数をＮと表すとき、以下の数式６によって、前記仰角ψを推定する、
【数６】
2019148452.tif 000026
請求項８に記載の探索システム。
【請求項１０】
前記磁場生成部は、前記初期位相で前記磁気双極子を回転させて生成される少なくとも２つの方向に関する磁場の成分に正弦波の重みを乗算することで、変動する磁場を生成する、
請求項１から９のいずれか一項に記載の探索システム。
【請求項１１】
前記推定部は、前記磁場の強さに基づいて、前記送信機から前記受信機までの距離を推定する、
請求項１から１０のいずれか一項に記載の探索システム。
【請求項１２】
前記送信機は、鉛直方向を検出する検出部をさらに有し、
前記磁場生成部は、前記鉛直方向を回転軸として、前記初期位相で前記磁気双極子を回転させることで、前記磁場を生成する、
請求項１から１１のいずれか一項に記載の探索システム。
【請求項１３】
送信機によって、任意の初期位相で磁気双極子を回転させることで、変動する磁場を生成することと、
受信機によって、少なくとも２つの方向に関する前記磁場の成分を、前記回転の１又は複数の周期にわたって測定することと、
前記受信機によって、前記磁場の成分に基づいて、前記送信機の方向を推定することと、
を含む探索方法。
【発明の詳細な説明】
【技術分野】
【０００１】
本発明は、探索システム及び探索方法に関する。
【背景技術】
【０００２】
従来、災害によって雪崩や瓦礫に埋もれた人を探索する装置として、雪崩ビーコンと呼ばれる装置が知られている。雪崩ビーコンは、バーコイルアンテナを内蔵しており、周囲に磁場を生成する。
【０００３】
下記特許文献１には、埋没者が携帯する雪崩ビーコンにより生成された磁場の磁力線を、磁気センサを用いて辿ることにより、埋没者を探索する技術が開示されている。
【０００４】
また、下記非特許文献１には、回転する磁場を生成する発振器の方位角、仰角及び距離を推定することが開示されている。ただし、発振器により生成される回転する磁場の位相が既知であることが前提とされている。
【先行技術文献】
【特許文献】
【０００５】
【特許文献１】特開２００３−１９８３８９号公報
【非特許文献】
【０００６】
【非特許文献１】E. Paperno, I. Sasada and E. Leonovich, "A new method for magnetic position and orientation tracking," in IEEE Transactions on Magnetics, vol. 37, no. 4, pp. 1938-1940, Jul 2001.
【発明の概要】
【発明が解決しようとする課題】
【０００７】
特許文献１に記載のような雪崩ビーコンを用いることで、埋没者を探索することができる。しかしながら、雪崩ビーコンから発せられる磁力線は、一般に、雪崩ビーコンから探索者まで曲線を描くため、特許文献１に記載の技術では、探索者は磁力線に沿って遠回りをして埋没者を探索することとなってしまう場合がある。雪崩等の埋没者の救助においては、救助までの時間が数分でも遅れると命に関わるため、直線的に埋没者の位置に到達することが望まれる。
【０００８】
また、非特許文献１に記載の技術によれば、発振器までの方位角が推定できるが、磁場の位相が既知であることを前提としている。そのため、仮に埋没者に発振器を携帯させたとしても、どのような位相で磁場が発せられているか知ることができないため、非特許文献１に記載の技術により発振器までの方位角を推定することは困難である。
【０００９】
そこで、本発明は、探索者が、埋没者の位置まで直線的に到達することを支援する探索システム及び探索方法を提供する。
【課題を解決するための手段】
【００１０】
本発明の一態様に係る探索システムは、受信機と、送信機とを備える探索システムであって、送信機は、任意の初期位相で磁気双極子を回転させることで、変動する磁場を生成する磁場生成部を有し、受信機は、少なくとも２つの方向に関する磁場の成分を、回転の１又は複数の周期にわたって測定する測定部と、磁場の成分に基づいて、送信機の方向を推定する推定部と、を有する。
【００１１】
この態様によれば、回転する磁気双極子によって生成される磁場を、回転の１又は複数の周期にわたって測定することで、受信機の位置で磁場の大きさが極大となる方向及び極小となる方向を推定することができ、送信機の方向を推定することができる。そのため、探索者が、埋没者の位置まで直線的に到達することを支援することができる。
【００１２】
上記態様において、推定部は、少なくとも２つの方向に関する磁場の成分に正弦波の重みを乗算して、１又は複数の周期にわたって積分することで、送信機の方向を推定してもよい。
【００１３】
この態様によれば、少なくとも２つの方向に関する磁場の成分に正弦波の重みを乗算して、１又は複数の周期にわたって積分することで、初期位相に依存しない量を算出することができ、任意の初期位相で磁気双極子を回転させて磁場を生成した場合であっても、送信機の方向を推定することができる。
【００１４】
上記態様において、推定部は、少なくとも２つの方向に関する磁場の成分に基づいて、受信機と送信機との間の方位角を推定してもよい。
【００１５】
この態様によれば、送信機により生成される磁場の磁力線が、送信機から受信機まで曲線を描くように生成される場合であっても、探索者が埋没者の位置まで直線的に到達することができ、より短時間で埋没者を救助することができるようになる。
【００１６】
上記態様において、推定部は、磁気双極子の回転の角周波数をωと表し、磁場のｘ軸成分をＢxと表し、磁場のｙ軸成分をＢyと表し、磁場のｚ軸成分をＢzと表し、周期をＴと表し、時間をｔと表し、任意の正整数をＮと表すとき、以下の数式１〜４のうちいずれかによって、方位角φを推定してもよい。
【数１】
2019148452.tif 000003
【数２】
2019148452.tif 000004
【数３】
2019148452.tif 000005
【数４】
2019148452.tif 000006
【００１７】
この態様によれば、任意の初期位相で磁気双極子を回転させて磁場を生成した場合であっても、不定性無く送信機の方向を推定することができる。そのため、探索者が埋没者の位置まで直線的に到達することができ、より短時間で埋没者を救助することができるようになる。
【００１８】
上記態様において、推定部は、磁気双極子の回転の角周波数をωと表し、磁場のｘ軸成分をＢxと表し、磁場のｙ軸成分をＢyと表し、周期をＴと表し、時間をｔと表し、任意の正整数をＮと表すとき、以下の数式５によって、方位角φを推定してもよい。
【数５】
2019148452.tif 000007
【００１９】
この態様によれば、磁場のｚ軸成分の測定が困難な場合であっても、磁場のｘ軸成分とｙ軸成分とを用いて、送信機の方向を推定することができる。そのため、探索者と埋没者との距離が比較的遠く、磁場のｚ軸成分が比較的小さい場合であっても、探索者が埋没者まで直線的に到達することができ、より短時間で埋没者を救助することができるようになる。
【００２０】
上記態様において、推定部は、磁場のｘ軸成分及び磁場のｙ軸成分の変動により描かれるリサージュ図形を楕円により近似し、楕円の長軸方向又は短軸方向によって、方位角を推定してもよい。
【００２１】
この態様によれば、リサージュ図形を楕円により近似することで、受信機の位置で磁場の大きさが極大となる方向及び極小となる方向を比較的少ない演算量で推定することができ、送信機の方向を比較的少ない演算量で推定することができる。
【００２２】
上記態様において、受信機及び送信機の少なくともいずれか一方は、リサージュ図形を表示する表示部をさらに有してもよい。
【００２３】
この態様によれば、探索する方向に応じて測定される磁場の成分がどのように変化するか確かめながら埋没者を探索することができ、探索する方向が妥当であるかを視覚的に確認することができる。
【００２４】
上記態様において、推定部は、３つの方向に関する磁場の成分に基づいて、受信機と送信機との間の仰角を推定してもよい。
【００２５】
この態様によれば、送信機により生成される磁場の磁力線が、送信機から受信機まで曲線を描くように生成される場合であっても、埋没者が埋まっている方向を直線的に特定することができ、より短時間で埋没者を救助することができるようになる。
【００２６】
上記態様において、推定部は、磁気双極子の回転の角周波数をωと表し、磁場のｘ軸成分をＢxと表し、磁場のｙ軸成分をＢyと表し、磁場のｚ軸成分をＢzと表し、周期をＴと表し、時間をｔと表し、任意の正整数をＮと表すとき、以下の数式６によって、仰角ψを推定してもよい。
【数６】
2019148452.tif 000008
【００２７】
この態様によれば、任意の初期位相で磁気双極子を回転させて磁場を生成した場合であっても、不定性無く送信機の方向を推定することができる。そのため、探索者が埋没者の位置まで直線的に到達することができ、より短時間で埋没者を救助することができるようになる。
【００２８】
上記態様において、磁場生成部は、初期位相で磁気双極子を回転させて生成される少なくとも２つの方向に関する磁場の成分に正弦波の重みを乗算することで、変動する磁場を生成してもよい。
【００２９】
この態様によれば、磁気双極子を回転させて生成される少なくとも２つの方向に関する磁場の成分に正弦波の重みを乗算して変動する磁場を生成することで、受信機側で正弦波の重みを乗算する必要が無くなり、受信機の演算負荷を低減させて送信機の方向を推定することができる。
【００３０】
上記態様において、推定部は、磁場の強さに基づいて、送信機から受信機までの距離を推定してもよい。
【００３１】
この態様によれば、探索者が、推定された方向に向かって埋没者を探索する場合に、埋没者に近付く方向に向かっているかを確認することができ、埋没者の位置まで直線的に到達することを支援することができる。
【００３２】
上記態様において、送信機は、鉛直方向を検出する検出部をさらに有し、磁場生成部は、鉛直方向を回転軸として、初期位相で磁気双極子を回転させることで、磁場を生成してもよい。
【００３３】
この態様によれば、磁気双極子が水平面内を回転するような磁場が生成されることとなり、受信機で測定される磁場の成分が限定され、受信機によって送信機の方向を推定する演算を簡略化することができる。
【００３４】
本発明の他の態様に係る探索方法は、送信機によって、任意の初期位相で磁気双極子を回転させることで、変動する磁場を生成することと、受信機によって、少なくとも２つの方向に関する磁場の成分を、回転の１又は複数の周期にわたって測定することと、受信機によって、磁場の成分に基づいて、送信機の方向を推定することと、を含む。
【００３５】
この態様によれば、回転する磁気双極子によって生成される磁場を、回転の１又は複数の周期にわたって測定することで、受信機の位置で磁場の大きさが極大となる方向及び極小となる方向を推定することができ、送信機の方向を推定することができる。そのため、探索者が、埋没者の位置まで直線的に到達することを支援することができる。
【発明の効果】
【００３６】
本発明によれば、探索者が、埋没者の位置まで直線的に到達することを支援する探索システム及び探索方法が提供される。
【図面の簡単な説明】
【００３７】
【図１】本発明の実施形態に係る探索システムの機能ブロックを示す図である。
【図２】本実施形態に係る受信機の物理的構成を示す図である。
【図３】本実施形態に係る探索システムの座標系を示す図である。
【図４】本実施形態に係る送信機により生成される磁場の向きの第１例を示す図である。
【図５】本実施形態に係る送信機により生成される磁場の向きの第２例を示す図である。
【図６】本実施形態に係る探索システムにより表示されるリサージュ図形の例を示す図である。
【図７】本実施形態に係る探索システムにより実行される探索処理のフローチャートである。
【図８】本実施形態の変形例に係る探索システムの機能ブロックを示す図である。
【図９】本実施形態の変形例に係る探索システムにより実行される探索処理のフローチャートである。
【発明を実施するための形態】
【００３８】
以下、本発明の一側面に係る実施の形態（以下、「本実施形態」と表記する。）を、図面に基づいて説明する。なお、各図において、同一の符号を付したものは、同一又は同様の構成を有する。
【００３９】
図１は、本発明の実施形態に係る探索システム１の機能ブロックを示す図である。探索システム１は、受信機１０と、送信機２０とを備える。本実施形態では、探索者が受信機１０を携帯し、埋没者が送信機２０を携帯しているとする。なお、本実施形態では、受信機１０及び送信機２０が異なる機能を備える場合について説明するが、受信機１０及び送信機２０は、物理的に同じ構成を備えていてよく、受信機１０としての機能と送信機２０としての機能を選択可能に備えていてよい。
【００４０】
送信機２０は、磁場生成部２１と、検出部２２とを備える。磁場生成部２１は、任意の初期位相で磁気双極子を回転させることで、変動する磁場を生成する。また、検出部２２は、鉛直方向を検出する。ここで、検出部２２は、重力加速度を検出する加速度センサで構成されてよい。そして、磁場生成部２１は、鉛直方向を回転軸として、任意の初期位相で磁気双極子を回転させることで、変動する磁場を生成してよい。磁場生成部２１により生成される磁場のより具体的な説明は、後に図３を用いて詳細に行う。
【００４１】
受信機１０は、測定部１０ｇと、推定部１１と、表示部１０ｆとを備える。測定部１０ｇは、少なくとも２つの方向に関する磁場の成分を、磁気双極子の回転の１又は複数の周期にわたって測定する。ここで、少なくとも２つの方向は、水平面に沿った２方向を含んでよく、互いに直交する方向であってよい。また、少なくとも２つの方向は、検出部２２により検出された鉛直方向に直交する方向を含んでよい。測定部１０ｇは、互いに直交する２本又は３本のバーコイルによって構成されてよく、電磁誘導によってバーコイルに生じる電圧に基づいて、磁場の成分を測定するものであってよい。測定部１０ｇにより測定される磁場の成分の数は、バーコイルの本数によって定められてよい。
【００４２】
推定部１１は、測定部１０ｇにより測定された磁場の成分に基づいて、送信機２０の方向を推定する。推定部１１は、受信機１０の位置で磁場の大きさが極大となる方向及び極小となる方向を推定し、それらの方向に基づいて送信機２０の方向を推定する。推定部１１による処理については、後に詳細に説明する。
【００４３】
本実施形態に係る探索システム１によれば、回転する磁気双極子によって生成される磁場を、回転の１又は複数の周期にわたって測定することで、受信機１０の位置で磁場の大きさが極大となる方向及び極小となる方向を推定することができ、送信機２０の方向を推定することができる。そのため、探索者が、埋没者の位置まで直線的に到達することを支援することができる。
【００４４】
図２は、本実施形態に係る受信機１０の物理的構成を示す図である。受信機１０は、演算部に相当するＣＰＵ（Central Processing Unit）１０ａと、記憶部に相当するＲＡＭ（Random Access Memory）１０ｂと、記憶部に相当するＲＯＭ（Read only Memory）１０ｃと、通信部１０ｄと、入力部１０ｅと、表示部１０ｆと、測定部１０ｇと、を有する。これらの各構成は、バスを介して相互にデータ送受信可能に接続される。なお、本例では受信機１０が一台のコンピュータで構成される場合について説明するが、受信機１０は、複数のコンピュータが組み合わされて実現されてもよい。また、図２で示す構成は一例であり、受信機１０はこれら以外の構成を有してもよいし、これらの構成のうち一部を有さなくてもよい。
【００４５】
ＣＰＵ１０ａは、ＲＡＭ１０ｂ又はＲＯＭ１０ｃに記憶されたプログラムの実行に関する制御やデータの演算、加工を行う制御部である。ＣＰＵ１０ａは、測定部１０ｇにより磁場を測定したり、推定部１１により送信機２０の方向を推定したりするプログラム（探索プログラム）を実行する演算部である。ＣＰＵ１０ａは、入力部１０ｅや通信部１０ｄから種々のデータを受け取り、データの演算結果を表示部１０ｆに表示したり、ＲＡＭ１０ｂやＲＯＭ１０ｃに格納したりする。
【００４６】
ＲＡＭ１０ｂは、記憶部のうちデータの書き換えが可能なものであり、例えば半導体記憶素子で構成されてよい。ＲＡＭ１０ｂは、ＣＰＵ１０ａが実行する探索プログラム、磁気双極子の回転の角周波数といったデータを記憶してよい。なお、これらは例示であって、ＲＡＭ１０ｂには、これら以外のデータが記憶されていてもよいし、これらの一部が記憶されていなくてもよい。
【００４７】
ＲＯＭ１０ｃは、記憶部のうちデータの読み出しが可能なものであり、例えば半導体記憶素子で構成されてよい。ＲＯＭ１０ｃは、例えば探索プログラムや、書き換えが行われないデータを記憶してよい。
【００４８】
通信部１０ｄは、受信機１０を他の機器に接続するインターフェースである。通信部１０ｄは、送信機２０と無線通信により接続されて、種々のデータを送受信してよい。また、通信部１０ｄは、インターネット等の通信ネットワークに接続されてもよい。さらに、通信部１０ｄは、ＧＰＳ（Global Positioning System）信号を受信してもよい。
【００４９】
入力部１０ｅは、ユーザからデータの入力を受け付けるものであり、例えば、キーボード及びタッチパネルを含んでよい。
【００５０】
表示部１０ｆは、ＣＰＵ１０ａによる演算結果を視覚的に表示するものであり、例えば、ＬＣＤ（Liquid Crystal Display）により構成されてよい。表示部１０ｆは、例えば推定部１１により推定された送信機２０の方向を表示したり、後述するリサージュ図形を表示したりしてよい。
【００５１】
測定部１０ｇは、互いに直交する２本又は３本のバーコイルによって構成されてよく、電磁誘導によってバーコイルに生じる電圧に基づいて、磁場の成分を測定するものであってよい。
【００５２】
探索プログラムは、ＲＡＭ１０ｂやＲＯＭ１０ｃ等のコンピュータによって読み取り可能な記憶媒体に記憶されて提供されてもよいし、通信部１０ｄにより接続される通信ネットワークを介して提供されてもよい。受信機１０では、ＣＰＵ１０ａが探索プログラムを実行することにより、図１を用いて説明した様々な動作が実現される。なお、これらの物理的な構成は例示であって、必ずしも独立した構成でなくてもよい。例えば、受信機１０は、ＣＰＵ１０ａとＲＡＭ１０ｂやＲＯＭ１０ｃが一体化したＬＳＩ（Large-Scale Integration）を備えていてもよい。
【００５３】
図２では、受信機１０の物理的構成を例示したが、送信機２０も受信機１０と同様の構成を備えてよい。具体的には、送信機２０は、演算部に相当するＣＰＵと、記憶部に相当するＲＡＭと、記憶部に相当するＲＯＭと、通信部と、入力部と、表示部と、磁場生成部２１と、を有してよい。ここで、磁場生成部２１は、互いに直交する２本又は３本のバーコイルによって構成されてよく、バーコイルに電流を入力して、電磁誘導によって磁場を生成するものであってよい。磁場生成部２１の物理的構成は、測定部１０ｇの物理的構成と同じであってよい。
【００５４】
図３は、本実施形態に係る探索システム１の座標系を示す図である。同図では、受信機１０を基準とするｘ−ｙ−ｚ座標系と、送信機２０を基準とするＸ−Ｙ−Ｚ座標系とを示している。
【００５５】
ｘ−ｙ−ｚ座標系において、鉛直方向をｚ軸方向とするとき、送信機２０は、検出部２２によって鉛直方向を検出し、磁場生成部２１によって、任意の初期位相で磁気双極子がｘ−ｙ平面内を回転するように、変動する磁場を生成する。これにより、磁気双極子が水平面（ｘ−ｙ平面）内を回転するような磁場が生成されることとなり、受信機１０で測定される磁場の成分が限定され、受信機１０によって送信機２０の方向を推定する演算を簡略化することができる。
【００５６】
ここで、磁気双極子の回転の角周波数をωと表し、磁気双極子モーメントｐの大きさ（ベクトルｐのノルム）をＡと表し、磁気双極子モーメントｐのｘ軸成分をｐxと表し、磁気双極子モーメントｐのｙ軸成分をｐyと表し、磁気双極子モーメントｐのｚ軸成分をｐzと表し、時間をｔと表し、任意の初期位相をθ0と表すとき、磁場生成部２１は、以下の数式７で表される磁気双極子モーメントｐ（ｔ）により磁場を生成してよい。なお、磁場生成部２１は、連続的に磁場を生成してもよいし、間欠的に磁場を生成してもよい。また、磁気双極子の回転の角周波数をωは、例えば４５７ｋＨｚであってよい。角周波数ωは、任意の値であってよいが、雪や瓦礫等を透過し、また金属による反射の影響の少ない周波数であることが望ましく、ＭＨｚ帯やＧＨｚ帯よりもｋＨｚオーダーの周波数帯又はさらに低周波数帯が望ましい。
【００５７】
【数７】
2019148452.tif 000009
【００５８】
送信機２０は、数式７で表される磁気双極子モーメントｐを生成するために、検出部２２によって鉛直方向を検出し、受信機１０を基準とするｘ−ｙ−ｚ座標系を、送信機２０を基準とするＸ−Ｙ−Ｚ座標系に変換する回転行列Ｒを算出して、以下の数式８により、送信機２０の磁場生成部２１を構成する３軸バーコイルに入力する電流Ｉを決定してよい。ここで、ＩxはＸ軸方向のバーコイルに入力する電流の成分を表し、ＩyはＹ軸方向のバーコイルに入力する電流の成分を表し、ＩzはＺ軸方向のバーコイルに入力する電流の成分を表し、ｃは定数を表す。
【００５９】
【数８】
2019148452.tif 000010
【００６０】
送信機２０の磁場生成部２１によって、数式７の磁気双極子モーメントｐ（ｔ）により変動する磁場が生成されることで、受信機１０の測定部１０ｇでは、以下の数式９で表される磁場Ｂ（ｔ）が測定される。ここで、Ｂxはｘ軸方向のバーコイルにより測定される磁場のｘ軸成分を表し、Ｂyはｙ軸方向のバーコイルにより測定される磁場のｙ軸成分を表し、Ｂzはｚ軸方向のバーコイルにより測定される磁場のｚ軸成分を表す。また、μ0は真空の透磁率であり、ベクトルｒは、受信機１０から送信機２０を指すベクトルである。
【００６１】
【数９】
2019148452.tif 000011
【００６２】
測定部１０ｇは、少なくとも磁場のｘ軸成分Ｂx及びｙ軸成分Ｂyを測定すればよい。探索者は、測定部１０ｇを構成するｘ軸方向のバーコイル及びｙ軸方向のバーコイルが、水平面に沿うように受信機１０を把持して、直交する２本のバーコイルによって磁場のｘ軸成分Ｂx及びｙ軸成分Ｂyが測定されるようにしてよい。また、重力加速度を検出する加速度センサで構成された検出部を受信機１０に設けて、検出部によって鉛直方向を検出し、鉛直方向及び鉛直方向に直交する２方向に関する磁場の成分を測定することとしてもよい。受信機１０に検出部を設けて鉛直方向を検出することで、推定部１１による推定がより正確になる。測定部１０ｇで測定される磁場の成分をさらに詳細に表すと、以下の数式１０及び１１のとおりとなる。
【００６３】
【数１０】
2019148452.tif 000012
【００６４】
【数１１】
2019148452.tif 000013
【００６５】
図３の例では、ベクトルｒのｚ軸成分がマイナスであり、受信機１０から見て送信機２０が埋没している状況を示している。受信機１０から見た送信機２０の位置は、ベクトルｒのノルム｜ｒ｜と、ｘ軸から測った方位角φと、ｚ軸のマイナス側から測った仰角ψとによって一意に特定される。なお、本例では仰角ψをｚ軸のマイナス側から測っており、受信機１０の真下に送信機２０が位置する場合にψ＝０となるが、仰角ψの測り方は任意である。同様に、方位角φの測り方も任意である。
【００６６】
推定部１１は、少なくとも２つの方向に関する磁場の成分に正弦波の重みを乗算して、磁気双極子の回転の１又は複数の周期Ｔにわたって積分することで、送信機２０の方向を推定する。ここで、周期Ｔは、Ｔ＝２π／ωであり、予め設定することができる値である。少なくとも２つの方向に関する磁場の成分に正弦波の重みを乗算して、１又は複数の周期にわたって積分することで、初期位相に依存しない量を算出することができ、任意の初期位相で磁気双極子を回転させて磁場を生成した場合であっても、送信機２０の方向を推定することができる。
【００６７】
推定部１１は、少なくとも２つの方向に関する磁場の成分に基づいて、受信機１０と送信機２０との間の方位角φを推定する。方位角φを推定することで、送信機２０により生成される磁場の磁力線が、送信機２０から受信機１０まで曲線を描くように生成される場合であっても、探索者が埋没者の位置まで直線的に到達することができ、より短時間で埋没者を救助することができるようになる。方位角φの推定は、少なくとも２つの方向に関する磁場の成分を角周波数ωで直交検波することで行ってよい。
【００６８】
具体的には、推定部１１は、磁気双極子の回転の角周波数をωと表し、磁場のｘ軸成分をＢxと表し、磁場のｙ軸成分をＢyと表し、磁場のｚ軸成分をＢzと表し、周期をＴと表し、時間をｔと表し、任意の正整数をＮと表すとき、以下の数式１２〜１５のうちいずれかによって、方位角φを推定してよい。ここで、Ａｒｇは、複素数の偏角を表す。
【００６９】
【数１２】
2019148452.tif 000014
【００７０】
【数１３】
2019148452.tif 000015
【００７１】
【数１４】
2019148452.tif 000016
【００７２】
【数１５】
2019148452.tif 000017
【００７３】
このように、数式１２〜１５によって方位角φを算出することで、任意の初期位相θ0で磁気双極子を回転させて磁場を生成した場合であっても、不定性無く送信機２０の方向を推定することができる。そのため、探索者が埋没者の位置まで直線的に到達することができ、より短時間で埋没者を救助することができるようになる。
【００７４】
また、推定部１１は、以下の数式１６によって、方位角φを推定してもよい。
【００７５】
【数１６】
2019148452.tif 000018
【００７６】
数式１６は、数式１２〜１５と比較して、磁場のｘ軸成分及びｙ軸成分を用い、磁場のｚ軸成分を用いない点で異なっている。このように、数式１６によって方位角φを算出することで、磁場のｚ軸成分の測定が困難な場合であっても、磁場のｘ軸成分とｙ軸成分とを用いて、送信機２０の方向を推定することができる。そのため、探索者と埋没者との距離が比較的遠く、磁場のｚ軸成分が比較的小さい場合であっても、探索者が埋没者まで直線的に到達することができ、より短時間で埋没者を救助することができるようになる。
【００７７】
また、推定部１１は、３つの方向に関する磁場の成分に基づいて、受信機１０と送信機２０との間の仰角ψを推定してよい。仰角ψを推定することで、送信機２０により生成される磁場の磁力線が、送信機２０から受信機１０まで曲線を描くように生成される場合であっても、埋没者が埋まっている方向を直線的に特定することができ、より短時間で埋没者を救助することができるようになる。
【００７８】
具体的には、推定部１１は、以下の数式１７によって、仰角ψを推定してよい。ここで、ＡｒｃＴａｎは、正接関数（タンジェント）の逆関数である。
【００７９】
【数１７】
2019148452.tif 000019
【００８０】
このように、数式１７によって仰角ψを算出することで、任意の初期位相θ0で磁気双極子を回転させて磁場を生成した場合であっても、不定性無く送信機２０の方向を推定することができる。そのため、探索者が埋没者の位置まで直線的に到達することができ、より短時間で埋没者を救助することができるようになる。
【００８１】
なお、数式１２〜１７では、受信機１０側で磁場の各成分にｅｘｐ（±ｉωｔ）の重み（正弦波の重み）を乗算する場合を示したが、このような重みは、磁場生成部２１によって予め乗算されてもよい。すなわち、磁場生成部２１は、初期位相θ0で磁気双極子を回転させて生成される少なくとも２つの方向に関する磁場の成分に正弦波の重みを乗算することで、変動する磁場を生成してもよい。磁気双極子を回転させて生成される少なくとも２つの方向に関する磁場の成分に正弦波の重みを乗算して変動する磁場を生成することで、受信機１０側で正弦波の重みを乗算する必要が無くなり、受信機１０の演算負荷を低減させて送信機２０の方向を推定することができる。
【００８２】
図４は、本実施形態に係る送信機２０により生成される磁場Ｂ１の向きの第１例を示す図である。また、図５は、本実施形態に係る送信機により生成される磁場Ｂ２の向きの第２例を示す図である。図４及び５では、ｘ−ｙ平面上における磁場の分布を示している。これらの図面を参照して、数式１０で表される磁場のｘ軸成分とｙ軸成分の変化について説明する。
【００８３】
図４に示す磁場Ｂ１は、送信機２０の磁場生成部２１により生成される磁気双極子モーメントｐが、受信機１０の方向を向いた瞬間の磁場の分布を表している。一方、図５に示す磁場Ｂ２は、送信機２０の磁場生成部２１により生成される磁気双極子モーメントｐが、受信機１０と送信機２０を結ぶ線分と直交する方向を向いた瞬間の磁場の分布を表している。磁気双極子モーメントｐが回転すると、受信機１０で測定される磁場も回転し、図４及び５に示すリサージュ図形Ｌが描かれる。
【００８４】
推定部１１は、磁場のｘ軸成分及び磁場のｙ軸成分の変動により描かれるリサージュ図形Ｌを楕円により近似し、楕円の長軸方向又は短軸方向によって、方位角φを推定してよい。図４及び５に示す例の場合、推定部１１は、リサージュ図形Ｌを楕円により近似して、楕円の長軸方向によって、受信機１０と送信機２０との間の方位角φを推定してよい。ただし、楕円の長軸方向により方位角φを推定する場合、方位角には１８０°の不定性が残る。
【００８５】
この場合、推定部１１は、磁場の強さに基づいて、送信機２０から受信機１０までの距離を推定してよい。ここで、磁場の強さとは、測定部１０ｇにより測定される磁場のノルムであってよい。すなわち、磁場の強さとは、（Ｂx2＋Ｂy2＋Ｂz2）1/2であってよい。数式１０及び１１に示されるように、磁場の強さは、送信機２０から受信機１０までの距離｜ｒ｜の３乗に反比例する。従って、推定部１１により推定される方位角に１８０°の不定性があったとしても、それぞれの方向に動いてみて、磁場の強さが強くなる方向に進めば、埋没者の位置へ直線的に向かうことができる。
【００８６】
このように、リサージュ図形Ｌを楕円により近似することで、受信機１０の位置で磁場の大きさが極大となる方向及び極小となる方向を比較的少ない演算量で推定することができ、送信機２０の方向を比較的少ない演算量で推定することができる。また、送信機２０から受信機１０までの距離を推定することで、探索者が、推定された方向に向かって埋没者を探索する場合に、埋没者に近付く方向に向かっているかを確認することができ、埋没者の位置まで直線的に到達することを支援することができる。
【００８７】
図６は、本実施形態に係る探索システム１により表示されるリサージュ図形の例を示す図である。受信機１０及び送信機２０の少なくともいずれか一方は、リサージュ図形を表示する表示部１０ｆを有してよい。本実施形態の場合、受信機１０は、測定された磁場のｘ軸方向の成分とｙ軸方向の成分により描かれるリサージュ図形を表示する表示部１０ｆを有する。
【００８８】
同図では、雪中の深さｈの位置に送信機２０を携帯する埋没者が埋まっている場合に、受信機１０を携帯する探索者が比較的遠い位置にいる第１の場合（ａ）と、受信機１０と送信機２０との間の仰角が所定の値ψ0となる第２の場合（ｂ）と、受信機１０と送信機２０との間の仰角が所定の値ψ0より小さい第３の場合（ｃ）と、受信機１０と送信機２０との間の距離が第３の場合（ｃ）よりも短い第４の場合（ｄ）と、受信機１０と送信機２０との間の仰角がほとんど０°である第５の場合（ｅ）と、の５つの場合を示している。なお、同図では、探索者が、矩形の受信機１０の長辺が進行方向と平行になるように表示部１０ｆを視認している場合を示している。
【００８９】
第１の場合（ａ）には、リサージュ図形は長軸方向が送信機２０の方向を向いた楕円である。この場合、探索者は、楕円の長軸方向に向かって歩くことで、埋没者に近付くことができる。また、リサージュ図形の楕円の長軸の長さ及び短軸の長さは、測定される磁場の強さが強くなると長くなる。そのため、探索者は、楕円の長軸に沿ってそれぞれの方向に動いてみて、楕円が大きくなる方向に進めばよい。
【００９０】
第２の場合（ｂ）は、受信機１０と送信機２０との間の仰角が所定の値ψ0となる場合である。ここで、所定の値ψ0は、ｓｉｎψ0＝（２／３）1/2を満たす値である。具体的には、ψ0はおおよそ５４°である。数式１０によれば、ψ＝ψ0のとき、（Ｂx2＋Ｂy2）1/2は時間ｔに依存せず一定になる。つまり、この場合にリサージュ図形は円となる。また、この場合に、受信機１０と送信機２０の水平距離は、（２）1/2×ｈとなる。つまり、この場合に、探索者は、埋没者までの水平距離がおおよそ１．４ｈである位置にいる。例えば、埋没者が深さ１ｍの位置に埋まっている場合、探索者は、埋没者までの水平距離がおおよそ１．４ｍの位置にいることになる。
【００９１】
第３の場合（ｃ）には、リサージュ図形は短軸方向が送信機２０の方向を向いた楕円である。この場合、探索者は、楕円の短軸方向に向かって歩くことで、埋没者に近付くことができる。また、リサージュ図形の楕円の長軸の長さ及び短軸の長さは、測定される磁場の強さが強くなると長くなる。そのため、探索者は、楕円の短軸に沿ってそれぞれの方向に動いてみて、楕円が大きくなる方向に進めばよい。
【００９２】
このように、受信機１０と送信機２０との間の仰角が所定の値ψ0より大きい場合、リサージュ図形は長軸方向が送信機２０の方向を向いた楕円となり、仰角が所定の値ψ0より小さい場合、リサージュ図形は短軸方向が送信機２０の方向を向いた楕円となる。このように、楕円の長軸及び短軸に対する進むべき方向が変わるため、表示部１０ｆには、仰角が所定の値ψ0より大きいか小さいかに応じて、楕円の長軸方向に進むべきであるか、短軸方向に進むべきであるかを表示してもよい。
【００９３】
第４の場合（ｄ）には、リサージュ図形は短軸方向が送信機２０の方向を向いた楕円であるが、短軸の長さがほとんど０となった楕円である。この場合、探索者は、楕円の短軸方向に向かって歩くことで、埋没者に近付くことができる。埋没者に近付くに従って、楕円の短軸の長さが長くなっていき、リサージュ図形は徐々に円に近付いていく。
【００９４】
第５の場合（ｅ）には、受信機１０と送信機２０との間の仰角が０°となる場合である。すなわち、探索者が埋没者の真上にいる場合である。数式１０によれば、ψ＝０のとき、（Ｂx2＋Ｂy2）1/2は時間ｔに依存せず一定になる。つまり、この場合に、リサージュ図形は円となる。
【００９５】
このように、リサージュ図形を示すことで、探索する方向に応じて測定される磁場の成分がどのように変化するか確かめながら埋没者を探索することができ、探索する方向が妥当であるかを視覚的に確認することができる。また、受信機１０が送信機２０に近付くに従って、リサージュ図形が第１の場合（ａ）から第５の場合（ｅ）に変化していくため、仮に仰角の具体的数値が示されなくても、リサージュ図形の変化から仰角を推定することができる。
【００９６】
なお、探索システム１は、リサージュ図形をそのまま表示するのではなく、リサージュ図形に適切な円形状を足し合わせることで直線を表示し、より直感的に進行方向を表示することとしてもよい。具体的には、図６（ａ）の場合には、楕円の短軸の長さを半径とし、楕円のリサージュ図形に対して位相が１８０度異なる円形状をリサージュ図形に足し合わせることとしてもよい。これにより、楕円の長軸方向に延びる直線が表示されることとなる。また、図６（ｃ）の場合には、楕円の長軸の長さを半径とし、楕円のリサージュ図形とは位相が１８０度異なる円形状をリサージュ図形に足し合わせることとしてもよい。これにより、楕円の短軸方向に延びる直線が表示されることとなる。
【００９７】
図７は、本実施形態に係る探索システム１により実行される探索処理のフローチャートである。はじめに、送信機２０の検出部２２によって、鉛直方向を検出する（Ｓ１０）。そして、送信機２０の磁場生成部２１は、鉛直方向を回転軸として、任意の初期位相で磁気双極子を回転させることで、変動する磁場を生成する（Ｓ１１）。
【００９８】
受信機１０は、測定部１０ｇによって、少なくとも２つの方向に関する磁場の成分を、磁気双極子の回転の１又は複数の周期にわたって測定する（Ｓ１２）。そして、受信機１０は、推定部１１によって、測定された磁場の成分に基づいて、送信機２０の方向を推定する（Ｓ１３）。推定部１１による推定処理は、数式６〜１１を用いて行ってもよいし、磁場のｘ軸成分及びｙ軸成分の変動により描かれるリサージュ図形を楕円により近似することで行ってもよい。
【００９９】
その後、受信機１０は、表示部１０ｆによって、推定された送信機２０の方向及びリサージュ図形を表示する（Ｓ１４）。なお、受信機１０は、推定部１１により推定された送信機２０の方位角及び仰角の少なくともいずれか一方をリサージュ図形と併せて表示してもよいし、リサージュ図形を表示せずに、方位角及び仰角と、距離を表す磁場の強さとを表示してもよい。以上で探索処理が終了する。
【０１００】
本実施形態では、数式７で表される磁気双極子モーメントを磁場生成部２１により生成する場合について説明したが、磁場生成部２１は、これ以外の磁場を生成してもよい。磁場生成部２１は、例えば、以下の数式１８で表される磁気双極子モーメントｐ（ｔ）によって、変動する磁場を生成してもよい。ここで、ωは搬送波の角周波数であり、θ0は搬送波に関する任意の初期位相であり、Ωは変調波の角周波数であり、α0は変調波に関する任意の初期位相である。ここで、搬送波の角周波数ωは、例えば４５７ｋＨｚであってよく、変調波の角周波数Ωは、例えば１０〜２０Ｈｚであってよい。
【０１０１】
【数１８】
2019148452.tif 000020
【０１０２】
このように、搬送周波数ωで回転する磁気双極子の振幅を角周波数ΩでＡＭ変調することで、変動する磁場を生成してもよい。このような磁場が生成される場合であっても、受信機１０で磁場のｘ軸成分とｙ軸成分を測定し、搬送周波数ωで検波して、変動の軌跡を描くと、角周波数Ωで回転するリサージュ図形となる。従って、リサージュ図形を楕円で近似する方法で、送信機２０の方位角φ及び仰角ψを推定することができる。
【０１０３】
また、数式１２〜１７における正弦波の重みｅｘｐ（±ｉωｔ）を、重みｅｘｐ（±ｉΩｔ）に置き換えることで、方位角φ及び仰角ψを算出することができる。また、送信機２０の磁場生成部２１によって、数式１２の磁気双極子モーメントに重みｅｘｐ（±ｉΩｔ）を乗算することで変動する磁場を生成し、受信機１０によって、数式６〜１１における正弦波の重みｅｘｐ（±ｉωｔ）の乗算を省略した積分を実行することで、方位角φ及び仰角ψを算出することができる。
【０１０４】
なお、変調波の角周波数Ωを１０〜２０Ｈｚ程度とする場合、磁場生成部２１は、搬送周波数ωで回転する磁気双極子を電気的に生成し、角周波数Ωで磁気双極子を機械的に回転させることで、変動する磁場を生成してもよい。
【０１０５】
図８は、本実施形態の変形例に係る探索システム１ａの機能ブロックを示す図である。変形例に係る探索システム１ａは、本実施形態に係る探索システム１と比較して、送信機２０が、通信部２３と、表示部２４とを備え、受信機１０が検出部１２を備え、通信部１０ｄによって送信機２０に情報を送信する点で、本実施形態に係る探索システム１と相違する。その他の構成について、変形例に係る探索システム１ａは、本実施形態に係る探索システム１と同様の構成を備える。以下では、相違する構成について説明し、同様の構成については詳細な説明を省略する。
【０１０６】
変形例に係る探索システム１ａでは、探索者が送信機２０を携帯し、埋没者が受信機１０を携帯しているとする。なお、受信機１０及び送信機２０は、物理的に同じ構成を備えていてよく、受信機１０としての機能と送信機２０としての機能を選択可能に備えていてよい。
【０１０７】
送信機２０の磁場生成部２１は、任意の初期位相で磁気双極子を回転させることで、変動する磁場を生成する。ここで、磁場生成部２１は、検出部２２により検出された鉛直方向を磁気双極子モーメントの回転軸の方向としてよい。検出部２２により検出された鉛直方向を磁気双極子モーメントの回転軸の方向とすることで、磁場が生成される方向が正確に制御され、結果的に推定部１１による推定が正確になる。もっとも、探索者が磁場生成部２１を構成するＸ軸方向のバーコイル及びＹ軸方向のバーコイルが水平面に沿うように送信機２０を把持する場合、検出部２２を用いずに、Ｘ軸方向のバーコイル及びＹ軸方向のバーコイルにより磁場を生成することとしてもよい。
【０１０８】
受信機１０の検出部１２は、重力加速度を検出する加速度センサで構成されてよく、鉛直方向を検出する。測定部１０ｇは、検出部１２により検出された鉛直方向をｚ軸方向として、少なくとも２つの方向に関する磁場の成分を、磁気双極子の回転の１又は複数の周期にわたって測定する。そして、推定部１１は、測定部１０ｇにより測定された磁場の成分に基づいて、送信機２０の方向を推定する。推定部１１は、例えば、受信機１０と送信機２０との間の方位角、仰角及び距離を推定する。推定部１１により推定された送信機２０の方向を表す値を推定値と呼ぶこととする。
【０１０９】
受信機１０は、通信部１０ｄによって、推定部１１により推定された推定値を、送信機２０に対して送信する。送信機２０は、通信部２３によって、推定値を受信し、表示部２４に表示する。
【０１１０】
このようにして、探索者が送信機２０を携帯し、埋没者が受信機１０を携帯する場合であっても、探索者は、埋没者の位置まで直線的に到達することができる。なお、受信機１０によってリサージュ図形を求めて、リサージュ図形に関する情報を受信機１０から送信機２０に送信してもよい。
【０１１１】
図９は、本実施形態の変形例に係る探索システム１ａにより実行される探索処理のフローチャートである。はじめに、送信機２０の検出部２２によって、鉛直方向を検出する（Ｓ２０）。そして、送信機２０の磁場生成部２１は、鉛直方向を回転軸として、任意の初期位相で磁気双極子を回転させることで、変動する磁場を生成する（Ｓ２１）。
【０１１２】
受信機１０は、検出部１２によって鉛直方向を検出し、検出された鉛直方向をｚ軸方向として、測定部１０ｇによって、少なくとも２つの方向に関する磁場の成分を、磁気双極子の回転の１又は複数の周期にわたって測定する（Ｓ２２）。そして、受信機１０は、推定部１１によって、測定された磁場の成分に基づいて、送信機２０の方向を推定する（Ｓ２３）。推定部１１による推定処理は、数式１２〜１７を用いて行ってもよいし、磁場のｘ軸成分及びｙ軸成分の変動により描かれるリサージュ図形を楕円により近似することで行ってもよい。
【０１１３】
その後、受信機１０は、通信部１０ｄによって、推定された方向に関する情報を、送信機２０に送信する（Ｓ２４）。なお、受信機１０は、推定部１１により推定された送信機２０の方位角及び仰角の少なくともいずれか一方をリサージュ図形と併せて送信してもよいし、リサージュ図形を送信せずに、方位角及び仰角と、距離を表す磁場の強さとを送信してもよい。最後に、送信機２０は、表示部２４によって、推定部１１により推定された方向及びリサージュ図形を表示する（Ｓ２５）。以上で変形例に係る探索システム１ａにより実行される探索処理が終了する。
【０１１４】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【０１１５】
例えば、受信機１０及び送信機２０の少なくともいずれか一方をスマートフォンで構成し、スマートフォンのステレオ出力及びマイク入力によって、変動する磁場により表される信号を入出力することとしてもよい。これにより、雪崩による埋没者の探索はもとより、送信機２０を持たせた野生動物の追跡や屋内でのナビゲーションを行ったり、地震災害時の瓦礫埋没者の探索を行ったりすることができる。また、スマートフォンにインストールされる様々なアプリケーションと連動させることで、より多くの分野に応用することもできる。
【符号の説明】
【０１１６】
１…探索システム、１ａ…変形例に係る探索システム、１０…受信機、１０ａ…ＣＰＵ、１０ｂ…ＲＡＭ、１０ｃ…ＲＯＭ、１０ｄ…通信部、１０ｅ…入力部、１０ｆ…表示部、１０ｇ…測定部、１１…推定部、１２…検出部、２０…送信機、２１…磁場生成部、２２…検出部、２３…通信部、２４…表示部
【図１】
2019148452.tif 000027
【図２】
2019148452.tif 000028
【図３】
2019148452.tif 000029
【図４】
2019148452.tif 000030
【図５】
2019148452.tif 000031
【図６】
2019148452.tif 000032
【図７】
2019148452.tif 000033
【図８】
2019148452.tif 000034
【図９】
2019148452.tif 000035